(57)【要約】【課題】  ヨーグルト、特に、アロエ片や粒状に裁断したリンゴのような果肉を入れた果肉入りヨーグルトを収容するのに適した高粘度飲食品用包装容器およびひ高粘度飲食品包装体を提供する。【解決手段】  両面部分４，４とガセット部分５，５を有するガセット形容器本体２と、ガセット形容器本体２の開口部２ａに固着された取出具３とを有し、取出具３は、ねじ部１１を設けた口部１２と、この口部１２に一体の接合部１３と、この接合部１３より下方に延びる導管部１４とを有し、取出具３の口部１２から導管部１４に延びる通路の口径が１０ｍｍから１２ｍｍの範囲内であり、導管部１４の長さが６．５ｍｍ以下である。【選択図】  図１
2006199350.tif 000002
【特許請求の範囲】
【請求項１】
両面部分とガセット部分とを有するガセット形容器本体と、ガセット形容器本体の開口端に固着された取出具とを有し、取出具は、ねじ部を設けた口部と、この口部に一体の接合部と、この接合部より下方に延びる導管部とを有する高粘度飲食品用包装容器において、上記取出具は、口部から導管部に延びる通路の口径が１０ｍｍから１２ｍｍの範囲内であり、導管部の長さが６．５ｍｍ以下であることを特徴とする高粘度飲食品用包装容器。
【請求項２】
導管部の側壁に複数の開口を形成したことを特徴とする請求項１に記載の高粘度飲食品用包装容器。
【請求項３】
高粘度飲食品は、果肉入りヨーグルトであることを特徴とする請求項１または２に記載の高粘度飲食品用包装容器。
【請求項４】
請求項１ないし３に記載の高粘度飲食品用包装容器に、高粘度飲食品を充填してなる高粘度飲食品包装体。
【請求項５】
両面部分と底部分を有する自立形容器本体と、自立形容器本体の開口端に固着された取出具とを有し、取出具は、ねじ部を設けた口部と、この口部に一体の接合部と、この接合部より下方に延びる導管部とを有する高粘度飲食品用包装容器において、上記取出具は、口部から導管部に延びる通路の口径が１０ｍｍから１２ｍｍの範囲内であり、導管部の長さが６．５ｍｍ以下であることを特徴とする高粘度飲食品用包装容器。
【請求項６】
導管部の側壁に複数の開口を形成したことを特徴とする請求項５に記載の高粘度飲食品用包装容器。
【請求項７】
高粘度飲食品は、果肉入りヨーグルトであることを特徴とする請求項５または６に記載の高粘度飲食品用包装容器。
【請求項８】
請求項５ないし７に記載の高粘度飲食品用包装容器に、高粘度飲食品を充填してなる高粘度飲食品包装体。
【発明の詳細な説明】
【技術分野】
【０００１】
本発明は、高粘度飲食品を収容するのに適した高粘度飲食品用包装容器および高粘度飲食品包装体に関する。
本発明は、高粘度飲食品の中でも、ヨーグルト、アイスクリーム等に代表される高粘度の乳製品、特に、ヨーグルト、さらに好ましくは、アロエ片や粒状に裁断したリンゴのような果肉を入れた果肉入りヨーグルトに好適である。
【０００２】
本発明において、用語「ヨーグルト」には、現在施行（平成１６年９月２日改正）「乳および乳製品の成分規格等に関する省令」に定義される発酵乳の他、乳等を乳酸菌または酵母等の適正な微生物で発酵させたもの、これらの発酵した乳とフルーツソース等の副原料を混合してヨーグルト様物性を呈するように調製したもの、発酵した後の乳またはそのような乳と副原料との混合物を加熱処理等によって失活させたもの等を包含する。
【背景技術】
【０００３】
ゼリー状食品を充填する包装容器として、ガセット形容器と、ガセット形容器の開口端に固着された取出具とを有するガセット形包装容器は知られている。上記ガセット形包装容器の取出具は、口部から導管部に延びる通路の口径が８ｍｍであり、接合部より下方に延びる導管部の長さが８０ｍｍであるのが一般的である（例えば、特許文献１）。
【０００４】
上記ガセット形包装容器は、容器の内部にゼリー状食品が充填され、ゼリー状食品包装体として市販されている。ゼリー状食品包装体に収容されたゼリー状食品の飲用は、包装容器の取出具の口部に螺着されたキャップを取り外し、利用者が取出具の端部を口で吸いながら包装容器の両面部分を手の指で押圧することで行なっている。
【特許文献１】特開２０００−１０３４３８号公報（第２頁，第１図参照）。
【発明の開示】
【発明が解決しようとする課題】
【０００５】
上記ガセット形包装容器は、内部に収容される内容物が粘性の低いゼリー状食品の場合には、取出具の口部から導管部に延びる通路の口径が８ｍｍであれば、内部に収容されるゼリー状食品を適度の吸込み力により吸飲することができることは分かっているが、内部に収容される内容物が粘性の高い高粘度飲食品、例えばヨーグルトの場合には、ヨーグルトの具有する粘性により、内部に収容されるヨーグルトを適度の吸込み力により吸飲することができず、また、収容された内容物がアロエ片や粒状に裁断したリンゴを含む果肉入りヨーグルトの場合には、取出具の口部から導管部に延びる通路にヨーグルトに含まれる果肉が詰まってしまい、吸飲に支障をきたしてしまうという問題点がある。
【０００６】
本発明は、上記した点を考慮してなされたもので、粘性の高い高粘度飲食品、特にヨーグルトやアイスクリーム等の高粘度の乳製品、さらに、ヨーグルトの中でも、果肉入りヨーグルト等を、適度の吸込み力により吸飲することができる高粘度飲食品用包装容器および高粘度飲食品包装体を提供することを目的とする。
【課題を解決するための手段】
【０００７】
本発明の請求項１に係る発明は、両面部分とガセット部分とを有するガセット形容器本体とガセット形容器本体の開口端に固着された取出具とを有し、取出具はねじ部を設けた口部とこの口部に一体の接合部とこの接合部より下方に延びる導管部とを有し、取出具の口部から導管部に延びる通路の口径を１０ｍｍから１２ｍｍの範囲内とし、導管部の長さを６．５ｍｍ以下とした高粘度飲食品用包装容器である。
【０００８】
本発明の請求項４に係る発明は、請求項１に係る発明である高粘度飲食品用包装容器に、高粘度飲食品を充填してなる高粘度飲食品包装体である。
【０００９】
本発明の請求項５に係る発明は、両面部分と底部分を有する自立形容器本体と自立形容器本体の開口端に固着された取出具とを有し、取出具はねじ部を設けた口部とこの口部に一体の接合部とこの接合部より下方に延びる導管部とを有し、取出具の口部から導管部に延びる通路の口径を１０ｍｍから１２ｍｍの範囲内とし、導管部の長さを６．５ｍｍ以下とした高粘度飲食品用包装容器である。
【００１０】
本発明の請求項８に係る発明は、請求項５に係る発明である高粘度飲食品用包装容器に、高粘度飲食品を充填してなる高粘度飲食品包装体である。
【発明の効果】
【００１１】
本発明によれば、取出具の口部から導管部に延びる通路の口径を１０ｍｍから１２ｍｍの範囲内としたことで、容器の内部に収容された粘性の高い高粘度飲食品、特にヨーグルトやアイスクリーム等の高粘度の乳製品、例えば、ヨーグルトの中でも、果肉入りヨーグルト等を、適度の吸込み力により吸飲することができる。
【発明を実施するための最良の形態】
【００１２】
以下本発明の実施の形態を図面を参照して説明する。
以下の説明においては、高粘度飲食品の一例としてヨーグルトを示し、ヨーグルト用包装容器として説明するものとする。
【００１３】
図１は、本発明によるヨーグルト用包装容器の斜視図を示す。このヨーグルト用包装容器１は、上方開口のガセット形容器２と、ガセット形容器２の開口部２ａに固着された取出具３とを有する。
【００１４】
上記ガセット形容器２は、両面部分４，４と、これら両面部分４，４の間に折り込み端が内方に位置するように配置されたガセット部分５，５とを有する。両面部分４，４およびガセット部分５，５は、ラミネートフィルム６から形成されている。
【００１５】
上記ラミネートフィルム６は、図２に示すように、上から順に、厚さ１２μｍのポリエステルフィルム７、厚さ７μｍのアルミホイル８、厚さ１５μｍの延伸ナイロンフィルム９および厚さ７０μｍの直鎖状低密度ポリエチレンフィルム１０をラミネートすることで形成される。
【００１６】
上記取出具３は、図３に示すように、ねじ部１１を設けた口部１２と、この口部１２に一体の接合部１３とこの接合部１３より下方に延びる導管部１４とを有する。取出具３の口部１２のねじ部１１にキャップ１５が螺着される。導管部１４の側壁には複数の開口１６が形成されている。
【００１７】
上記取出具３は、口部１２から導管部に延びる通路の口径Ｘが１１ｍｍ±１ｍｍに設定されている。また、取出具３の導管部の長さＹは６．５ｍｍ以下に設定されている。取出具３の口径Ｘを１０ｍｍ以上としたのは、粘性の高いヨーグルトを適度の吸込み力により吸飲できるようにするとともに、図示しない充填ノズルを取出具３の口部１２に装着した時、口部１２と充填ノズルを非接触にするためである。
【００１８】
すなわち、取出具３の口部１２の口径Ｘを１０ｍｍとすると、口部１２と充填ノズルの間に１ｍｍの空間を形成するには、充填ノズルの外径は８ｍｍになる。充填ノズルの肉厚を１ｍｍとすると、充填ノズルの口径は６ｍｍとなる。充填ノズルの口径が６ｍｍであれば、アロエ片や粒状に裁断したリンゴのような果肉は３ｍｍないし５ｍｍ程度の片であるから、充填ノズルを通してガセット形容器２に果肉入りヨーグルトを充填しても、充填ノズルに果肉入りヨーグルトに含まれる果肉が詰まることはない。
【００１９】
取出具３の口部１２の口径Ｘを１２ｍｍ以下としたのは、取出具３の口部１２の肉厚を１ｍｍとすると、取出具３の口部１２の外径が１４ｍｍとなる。口部１２の外径が１５ｍｍ以上になると、利用者が口を閉じた状態でガセット形容器２に充填されたヨーグルトを適度の吸込み力により吸飲することができないことを考慮したものである。
【００２０】
また、取出具３の導管部の長さＹを６．５ｍｍ以下としたのは、ガセット形容器２にヨーグルトを充填した時、ガセット形容器２に充填されたヨーグルトの上面の上方に形成される空間を減らし、ヨーグルトと空気との接触を少なくするためである。これは、ガセット形容器２に充填される内容物がヨーグルトのような充填後に殺菌処理できない内容物である場合に好ましい。
【００２１】
本発明によるヨーグルト用包装容器１にヨーグルト、特に、果肉入りヨーグルトを充填するには、図示しない充填ノズルを取出具３の口部１２に装着し、果肉入りヨーグルトをを充填ノズルを通してヨーグルト用包装容器１の内部に導入することで行なう。この場合、ヨーグルト用包装容器１の取出具３の口部１２と充填ノズルの外面との間に空間が形成されるので、口部１２と充填ノズルは非接触状態を維持し、安全かつ衛生的に充填作業を行うことができる。
【００２２】
特に内容物がヨーグルト、アイスクリーム等である場合のように、充填した後に殺菌操作を行わない場合には、衛生上、充填ノズルは汚されないことが好ましいが、口部１２と充填ノズルを非接触状態に維持すれば、充填ノズルを汚すことなく、取出具３に内容物を付着させずに充填することができる。
【００２３】
そして、このように高粘度飲食品用包装容器１に内容物を充填した後、取出具３の口部１２のねじ部１１にキャップ１５を螺着して密閉すれば、高粘度飲食品包装体を得ることができる。
【００２４】
また、本発明によるヨーグルト用包装容器１においては、取出具３の口部１２から導管部１４に延びる通路の口径Ｘを１１ｍｍ±１ｍｍとしたことで、充填ノズルの口径を６ｍｍ以上にすることができるので、アロエ片や粒状に裁断したリンゴのような３ｍｍないし５ｍｍ程度の果肉片を含む果肉入りヨーグルトをヨーグルト用包装容器１に充填する際、充填ノズルが果肉入りヨーグルトに含まれる果肉により詰まることはない。
【００２５】
なお、本発明によるヨーグルト用包装容器１においては、充填される内容物がヨーグルトで白色系であるから、取出具３の口部１２を白色系ではないたとえば緑色に着色することで、充填時の内容物の付着確認を可能にする。
【００２６】
ヨーグルト用包装容器１に収容された果肉入りヨーグルトを飲用するには、ヨーグルト用包装容器１のキャップ１５を口部１２から取り外し、取出具３の口部１２を口で吸いながらヨーグルト用包装容器１の両面部分４，４を手の指で押圧し、ヨーグルト用包装容器１に収容された果肉入りヨーグルトを絞り出すことにより行う。この際、取出具３の口部１２の口径Ｘは１１ｍｍ±１ｍｍであるから、利用者が口を閉じた状態でヨーグルト用包装容器１に充填された果肉入りヨーグルトを口部１２に果肉を詰まらせることなく適度の吸込み力により吸飲することができる。
【００２７】
図４は、本発明の他の実施の形態を示す図である。図４に示すヨーグルト用包装容器２０は、上方開口の自立形容器本体２１と、自立形容器本体２１の開口部に固着された取出具３とを有する。
【００２８】
上記自立形容器本体２１は、両面部分２２，２２と、これら両面部分２２，２２の下端の間に折り込み端が上方に位置するように配置された底部分２３とを有する。両面部分２２および底部分２３はラミネートフィルム６から形成されている。このラミネートフィルム６および取出具３の構成は、前述したガセット形容器２のミネートフィルム６および取出具３の構成と同じであるから説明を省略する。
【００２９】
以上の実施の形態では、本発明の範囲のなかで様々に変更することが可能である。例えば、口部１２の通路の口径Ｘを、図３のように一定の口径にせずに、通路の場所によって口径に変化をつけることも可能であるが、本発明の効果を奏する限り、このような変更例も本発明の範囲に包含されることは言うまでもない。
【産業上の利用可能性】
【００３０】
本発明の高粘度飲食品用包装容器は、ヨーグルト、特に、果肉入りヨーグルトを収容するのに適する。果肉入りヨーグルトの飲用に際して、利用者が口を閉じた状態でヨーグルト用包装容器に充填された果肉入りヨーグルトを口部に果肉を詰まらせることなく適度の吸込み力により吸飲することができる。
【図面の簡単な説明】
【００３１】
【図１】本発明によるヨーグルト用包装容器の一部を破いて示す斜視図である。
【図２】本発明によるヨーグルト用包装容器の両面部分のフィルム構成を示す図である。
【図３】本発明によるヨーグルト用包装容器の取出具の側面図である。
【図４】本発明による他のヨーグルト用包装容器の一部を破いて示す斜視図である。
【符号の説明】
【００３２】
１  ヨーグルト用包装容器
２  ガセット形容器本体
３  取出具
４  両面部分
５  ガセット部分
６  ラミネートフィルム
１２  口部
１４  導管部
Ｘ  通路の口径
Ｙ  導管部の長さ
【図１】
2006199350.tif 000003
【図２】
2006199350.tif 000004
【図３】
2006199350.tif 000005
【図４】
2006199350.tif 000006